(57)【要約】【課題】  テレビ受信機のユーザインターフェースのみを用いて、シーンに対応した誤りの指摘や意見などを放送局に簡単に投稿することができるテレビ受信システムを実現する。【解決手段】  番組の任意のシーンを特定する操作を行なう手段、当該シーンに対する情報を入力する手段、当該番組に対応する放送局の宛先を取得する手段、前記入力情報を前記宛先に送信する手段。【選択図】  図１
2007129330.tif 000002
【特許請求の範囲】
【請求項１】
番組の任意のシーンを特定する操作を行なう手段と、当該シーンに対する情報を入力する手段と、当該番組に対応する放送局の宛先を取得する手段と、前記入力情報を前記宛先に送信する手段とを設けたことを特徴とするテレビ受信システム。
【請求項２】
前記番組の当該シーンに前記入力情報を対応付けて記憶する手段と、前記番組を再生する際に前記シーンにおいて前記入力情報を出力する手段とを設けたことを特徴とする請求項1のテレビ受信システム。
【請求項３】
前記入力情報を入力するための定型フォーマットをあらかじめ記憶しておく手段を設けたことを特徴とする請求項1のテレビ受信システム。
【請求項４】
前記入力情報として音声を入力する手段を設けたことを特徴とする請求項1のテレビ受信システム。
【請求項５】
前記入力情報としてベクトルイメージデータまたはラスタイメージデータを入力する手段を設けたことを特徴とする請求項1のテレビ受信システム。
【発明の詳細な説明】
【技術分野】
【０００１】
本発明は、テレビ放送を受信し、映像および音声を出力するテレビ受信システムに関するものである。
【背景技術】
【０００２】
従来のテレビ放送においては、番組中の特定のシーンに対して、文字、図、写真、映像、音声などの内容に誤りや情報不足があった場合、これに気付いた視聴者は、電話、FAX、手紙、Eメールなどを用いて放送局に投稿していた。
【０００３】
従来例としては、例えば特許文献１と特許文献２と特許文献３と特許文献４をあげることが出来る。
【特許文献１】特開２００５−１７５６９５号公報
【特許文献２】特開２００１−３３７５９５号公報
【特許文献３】特開２０００−３２４０５号公報
【特許文献４】特開平１１−１１２９０１号公報
【発明の開示】
【発明が解決しようとする課題】
【０００４】
従来のテレビ受信システムにおいては、テレビ受信機で直接送信可能な投稿手段がなかった。電話、FAX、手紙、Eメールなどによる投稿では、放送局に対して当該番組や当該シーンを特定するための説明を行ない、さらに誤りの指摘や意見をし、放送局の宛先（電話・FAX番号、住所、メールアドレス）を調べて送信する必要があったため、面倒であり、わざわざ投稿する人は限られていた。そのため、放送局が誤りに気付かず、訂正も行なわれない場合が多く、その他大勢の視聴者が誤った内容を信じてしまうという問題があった。
【０００５】
また、当該シーンを録画してある場合においても、投稿した内容は録画データに反映されないため、当該シーンを後日再生したときには投稿した本人も誤りに気付かず、誤った内容を信じてしまう可能性があるという問題があった。
【０００６】
本発明は、テレビ受信機のユーザインターフェースのみを用いて、シーンに対応した誤りの指摘や意見などを放送局に簡単に投稿することができるテレビ受信システムを実現することを目的とする。
【課題を解決するための手段】
【０００７】
請求項1のテレビ受信システムは、番組の任意のシーンを特定する操作を行なう手段と、当該シーンに対する情報を入力する手段と、当該番組に対応する放送局の宛先を取得する手段と、前記入力情報を前記宛先に送信する手段とを設けたことを特徴とする。
【０００８】
請求項2のテレビ受信システムは、請求項1のテレビ受信システムにおいて、前記番組の当該シーンに前記入力情報を対応付けて記憶する手段と、前記番組を再生する際に前記シーンにおいて前記入力情報を出力する手段とを設けたことを特徴とする。
【０００９】
請求項3のテレビ受信システムは、請求項1のテレビ受信システムにおいて、前記入力情報を入力するための定型フォーマットをあらかじめ記憶しておく手段を設けたことを特徴とする。
【００１０】
請求項4のテレビ受信システムは、請求項1のテレビ受信システムにおいて、前記入力情報として音声を入力する手段を設けたことを特徴とする。
【００１１】
請求項5のテレビ受信システムは、請求項1のテレビ受信システムにおいて、前記入力情報としてベクトルイメージデータまたはラスタイメージデータを入力する手段を設けたことを特徴とする。
【発明の効果】
【００１２】
請求項1のテレビ受信システムは、番組の任意のシーンを特定する操作を行なう手段と、当該シーンに対する情報を入力する手段と、当該番組に対応する放送局の宛先を取得する手段と、前記入力情報を前記宛先に送信する手段とを設けたことにより、放送局に対して当該番組や当該シーンを特定するための説明を行なったり、放送局の宛先（電話・FAX番号、住所、メールアドレス）を別途調べる必要がないため、シーンに対応した誤りの指摘や意見などを放送局に簡単に投稿することができるという効果がある。
【００１３】
請求項2のテレビ受信システムは、請求項1のテレビ受信システムにおいて、前記番組の当該シーンに前記入力情報を対応付けて記憶する手段と、前記番組を再生する際に前記シーンにおいて前記入力情報を出力する手段とを設けたことにより、当該番組の当該シーンを後日再生したときに誤り指摘や意見の投稿を行なったことを確実に確認できるという効果がある。
【００１４】
請求項3のテレビ受信システムは、請求項1のテレビ受信システムにおいて、前記入力情報を入力するための定型フォーマットをあらかじめ記憶しておく手段を設けたことにより、入力する文字数が少なくてすむという効果がある。
【００１５】
請求項4のテレビ受信システムは、請求項1のテレビ受信システムにおいて、前記入力情報として音声を入力する手段を設けたことにより、キーによる文字入力よりも簡単に投稿データの入力が可能になるという効果がある。
【００１６】
請求項5のテレビ受信システムは、請求項1のテレビ受信システムにおいて、前記入力情報としてベクトルイメージデータまたはラスタイメージデータを入力する手段を設けたことにより、文字だけでなく、図解して説明することもできるという効果がある。
【発明を実施するための最良の形態】
【００１７】
（実施例1）
図1は、典型的なデジタルテレビ受信システムのハードウェアブロック図である。
【００１８】
図1において、受信機ユニット1は、データの入出力、処理、記憶、通信などを行なうユニットである。ディスプレイは受信機ユニット1と一体化していてもよい。
【００１９】
視聴者がリモコン5によってチャンネルを選択すると、アンテナやCATV端子から入力された信号から、チューナ2によって所望のチャンネルの受信データが得られる。デジタルテレビにおける1つのチャンネルの受信データは、映像データ、音声データ、その他のコードデータが多重化されているので、CPU3はこれらのデータを分離し、それぞれメモリ6へ記憶する。CPU3は、メモリ6の各データに対して復号やその他の処理を行ない、ディスプレイI/F4を介してディスプレイへ映像や音声を出力する。
【００２０】
メモリ6へ記憶されたデータは、さらにHDD7、リムーバルメディア8（ビデオテープ、ビデオディスクなど）に記録し、あとで再生することができる。
【００２１】
さらに、モデム9や周辺機器I/F10（USB、IEEE1394など）を介して、インターネットサーバや各種周辺機器（デジタルカメラ、プリンタ、キーボード、ポインティングデバイスなど）と接続し、映像データ、音声データ、その他のコードデータの通信を行なうことができる。
【００２２】
図2は本発明を実施したデジタルテレビ受信システムにおけるCPU3の処理を機能別に表わしたブロック図である。
【００２３】
操作部21はリモコン3やその他の周辺機器による視聴者の操作に基づき、選局部22、選局予約部22、EPG処理部24、録画予約部25、記録部27、データ制御部28、データ放送処理部29、インターネット処理部30に対して動作を指示する。
【００２４】
選局部22は操作部21、選局予約部23、EPG処理部24、録画部25の指示に基づき、チャンネルを切り替える。
【００２５】
選局予約部23は、操作部21、EPG処理部24の指示に基づき、タイマーに予約時刻をセットし、予約時刻になったら選局部22に選局の指示を送る。
【００２６】
EPG処理部24は、放送データに含まれる番組情報に基づきEPG（電子番組表）画面を表示し、操作部21の指示に基づき、選局部22、選局予約部23、録画予約部25にそれぞれ指示を送る。
【００２７】
録画予約部25は、操作部21、EPG処理部24の指示に基づき、タイマーに予約時刻をセットし、予約時刻になったら選局部22に選局の指示を送るとともに、記録部27に録画の指示を送る。
【００２８】
放送受信部26は、選局部26で指示されたチャンネルの放送を受信し、データをデータ制御部28へ送る。録画する場合は、受信データを記録部27へも送る。
【００２９】
記録部27は、操作部21、録画予約部25の指示に基づき、受信データを記録メディアに記録する。また、データ制御部28の指示に基づき各種データ（視聴したチャンネルの履歴など）を記録メディアに記録する。これらの記録メディアとしては、メモリ6、HDD7、リムーバルメディア8、さらにはその他の周辺機器やインターネット上のサーバなどが利用可能である。記録されたデータは操作部21の指示やその他必要に応じて読み出される。記録メディアの種類によっては、データを差し替えたり、複数個所に記録されたの複数データをほぼ同時に読み出して合成して出力したりすることも可能である。
【００３０】
データ制御部28は、各処理ブロックで得られた各種データを必要に応じて各処理部へ送る。
【００３１】
データ放送処理部29は、受信データから分離されたデータ放送、字幕、文字スーパー（字幕は洋画の日本語訳などのように本編の映像に連動したテキストであり、文字スーパーはニュース速報のように本編の映像と無関係なテキストである）に関するデータを解釈し、操作部21の指示に基づき、映像、音声、文字、図形を表示する。
【００３２】
インターネット処理部30は、モデム9を介してインターネットから得られたデータを解釈し、操作部21の指示に基づき、映像、音声、文字、図形を表示する。
【００３３】
映像・音声復号部31は、符号化された動画像、静止画像、音声を復号する。
【００３４】
文字・図形描画部32は、データ放送、字幕、文字スーパー、インターネット、EPGなどのデータに基づき、文字、図形を描画する。
【００３５】
映像・音声信号出力部は、動画像、静止画像、文字、図形を合成し、ディスプレイI/F4へ映像信号として出力するとともに、音声信号を出力する。
【００３６】
以上は、通常のデジタルテレビ受信システムの処理であるが、本発明においては、投稿情報処理部34を設けることによって、視聴した番組の特定のシーンに対応した誤り訂正や意見などの情報を放送局に投稿することできる。
【００３７】
図3のフローチャートによって、本実施例の動作を説明する。
【００３８】
ステップS101においては、通常の番組を視聴している。
【００３９】
ステップS102においては、図4のリモコンのシーンキーが押下された場合は、ステップS103へ進む。
【００４０】
ステップS103においては、シーン特定情報を記録部27に記録する。シーン特定情報は例えばチャンネル番号と放送日時で表わすことができる。さらにシーンキーが押された瞬間の画面を静止画として記憶しておくと、あとでシーンを確認したり、投稿データの一部として利用したりすることができる。またシーンキーが押された瞬間から所定時間の動画や音声を記憶しておくと、シーンの確認や投稿データの一部として利用するのにさらに便利である。
【００４１】
ステップS104においては、図4のリモコンの投稿キーが押下された場合は、ステップS105へ進む。そうでなければステップS101に戻って通常の番組の視聴を続ける。投稿情報の入力は後回しにして番組の視聴を続け、番組終了後やCM時など視聴者の都合がいいときに投稿情報の入力を行なうことができる。
【００４２】
ステップS105においては、シーン特定情報が記録されているすべてのシーンのリストを表示し、その中から投稿の対象とするシーンを選択する。
【００４３】
ステップS106においては、投稿情報を入力する。
【００４４】
ステップS107においては、当該シーン特定情報に含まれるチャンネル番号から送信アドレス
を取得する。送信を電子メールで行なう場合はメールアドレス、httpで行なう場合はURLを取得する。地上波放送の場合、チャンネル番号と送信アドレスの対応は地域によって異なるが。例えば受信機を設置する場所の郵便番号や市外局番を入力することで、チャンネル番号と地上波放送局のアドレスとの対応を設定することは可能である。またCSやCATVの場合は、会社によってチャンネル番号と放送局の対応が決まっているので、会社があらかじめ受信機にアドレスを設定しておくことができる。また、万一チャンネルと放送局の対応が変わったり、放送局のアドレスが変わった場合には、チャンネル番号と放送局のアドレスとの新たな対応データを放送データとして受信機に送ることで、受信機の設定を変更することは可能である。
【００４５】
ステップS108においては、ステップS103で取得したシーン特定情報とステップS106で入力した投稿情報を、ステップS107で取得した送信アドレスに送信する。
ステップS109においては、投稿情報を当該シーンに対応付けて記憶部27に記憶する。当該シーンが録画されている場合は、記録部27によって、当該投稿情報を録画データの当該シーンに対応付けて追記する。追記方法は2通りある。1つは古い録画データを投稿データを付加した新たな録画データで上書きする方法であり、もう1つは投稿データを別途記憶し、再生の都度古い録画データと投稿データを合成して出力する方法である。後者の方法は再生時に投稿データの出力形式の変更が可能であるなど柔軟性が高い。例えば、追加データを表示するか否かを随時切り替えたり、追加データを表示する文字の大きさを随時変えたりすることができる。しかし、記録メディアや記録フォーマットによっては再生時のデータの合成が困難な場合があり、その場合は前者の方法を取る。
【００４６】
ステップS109によって追記された追加情報は、録画データの再生時に当該シーンにおいて出力される。
【００４７】
図5は、字幕に誤字があった場合の例である。
【００４８】
まず、シーンキーが押下されたシーンのリストを表示し、リモコンの矢印キーで投稿対象のシーンを選択する。
【００４９】
次に投稿フォーマットを選択する。自由な意見を投稿する場合は所定のフォーマットを用いずすべてテキストで入力してもよいが、本実施例ではあらかじめ用意された正誤表のフォーマットにしたがって文字入力を行なう。リモコンキーでひらがなや漢字などを入力する場合は、リ、携帯電話の文字入力方法を用いることができる。また、周辺機器I/F10を介して、キーボードなどの文字入力機器を接続してもよい。
【００５０】
誤りの言葉と正しい言葉を順に入力することで正誤表を作成し、テキストデータやHTMLデータとして、電子メールまたはhttpで送信する。
【００５１】
本実施例では、あらかじめ用意された定型フォーマットを用いるため、入力する文字数が少なくてすむという効果がある。
【００５２】
（実施例2）
図6は、音声に読み間違いがあった場合の例である。
【００５３】
まず、シーンキーが押下されたシーンのリストを表示し、リモコンの矢印キーで投稿対象のシーンを選択する。
【００５４】
次に投稿フォーマットを選択する。本実施例では図4のリモコンに内蔵されたマイクロフォンを用いて音声入力を行なう。
【００５５】
音声はA/D変換し、データを電子メールまたはhttpで送信する。
【００５６】
本実施例では、音声により、キーによる文字入力よりも簡単に投稿データの入力が可能になるという効果がある。
【００５７】
（実施例3）
図7は、音声に読み間違いがあった場合の例である。
【００５８】
まず、シーンキーが押下されたシーンのリストを表示し、リモコンの矢印キーで投稿対象のシーンを選択する。
【００５９】
次に投稿フォーマットを選択する。本実施例では周辺機器I/F10を介して接続されたペン入力タブレットを用いてフリーハンド入力を行なう。
【００６０】
入力されたデータはベクトルイメージデータまたはラスタイメージデータとして、電子メールまたはhttpで送信する。
【００６１】
本実施例では、フリーハンドなので、文字だけでなく、図解して説明することもできるという効果がある。
【００６２】
なお、類似の方法として、紙に書いたイメージを周辺機器I/F10によって接続されたカメラやスキャナで読み取る方法などもある。この方法によると、手持ちの資料を添えて投稿することも可能であるという効果がある。
【図面の簡単な説明】
【００６３】
【図１】典型的なデジタルテレビ受信システムのハードウェアブロック図。
【図２】本発明を実施したデジタルテレビ受信システムの機能ブロック図。
【図３】投稿情報処理の基本的動作を表わすフローチャート。
【図４】リモコン。
【図５】正誤表のフォーマットを用いて投稿する例。
【図６】音声入力で投稿する例。
【図７】フリーハンド入力で投稿する例。
【符号の説明】
【００６４】
1  受信機ユニット
2  チューナ
3  CPU（中央処理装置）
4  ディスプレイI/F（インタフェース）
5  リモコン
6  メモリ
7  HDD（ハードディスクドライブ）
8  リムーバルメディア
9  モデム
10  周辺機器I/F
21  操作部
22  選局部
23  選局予約部
24  EPG処理部
25  録画予約部
26  放送受信部
27  記録部
28  データ制御部
29  データ放送処理部
30  インターネット処理部
31  映像・音声復号部
32  文字・図形描画部
33  映像音声信号出力部
34  投稿情報処理部
【図１】
2007129330.tif 000003
【図２】
2007129330.tif 000004
【図３】
2007129330.tif 000005
【図４】
2007129330.tif 000006
【図５】
2007129330.tif 000007
【図６】
2007129330.tif 000008
【図７】
2007129330.tif 000009